(57)【要約】【課題】  本発明は、確実にプレート（刷版／ブランケット）を保持することができるとともに、胴スリーブ厚を薄くできるプレート装着装置を備えた印刷機の胴（スリーブ）を提供することを目的とする。【解決手段】  可撓性プレートを巻着する印刷機の胴であって、該胴の表面に軸方向にそって開口部を有する胴溝と、該胴溝内に揺動可能に設けられ、円筒部と切欠き部とを有する挟持手段と、前胴溝内であって該挟持手段に対向する位置に設けられたへこみ部とを有し、前記可撓性プレートの端部を前記胴溝内の前記挟持手段とへこみ部との間で挟持するように構成したことにより、プレートを確実に挟持できるとともに、挟持手段を小さくすることができ、スリーブ厚を薄くすることができる。【選択図】        図１
2005280029.tif 000002
【特許請求の範囲】
【請求項１】
可撓性プレートを巻着する印刷機の胴であって、該胴の表面に軸方向にそって開口部を有する胴溝と、該胴溝内に揺動可能に設けられ、円筒部と切欠き部とを有する挟持手段と、前胴溝内であって該挟持手段に対向する位置に設けられたへこみ部とを有し、前記可撓性プレートの端部を前記胴溝内の前記挟持手段とへこみ部との間で挟持するように構成したことを特徴とする印刷機の胴。
【請求項２】
前記胴溝が前記胴表面に対し該胴の回転方向へ該胴溝内部で傾斜していることを特徴とする請求項１記載の印刷機の胴。
【請求項３】
前記へこみ部及び／又は前記円筒部が粗面化処理されていることを特徴とする請求項１又は２に記載の印刷機の胴。
【請求項４】
前記へこみ部及び／又は前記円筒部に被覆材が設けられていることを特徴とする請求項１又は２に記載の印刷機の胴。
【請求項５】
請求項１〜４のいずれか１項に記載の印刷機の胴に巻着するプレートにおいて、前記プレート端部にへこみを設けたことを特徴とするプレート。
【請求項６】
請求項１〜５のいずれか１項に記載の印刷機の胴に巻着するプレートにおいて、前記プレートの端部に被覆材又は／及び粗面化処理されたことを特徴とするプレート。
【発明の詳細な説明】
【技術分野】
【０００１】
本発明は印刷機の胴、特にスリーブにおけるプレートを巻着固定する装置に関する。
【背景技術】
【０００２】
従来の印刷機の版胴に用いられる刷版装着装置について、図１０〜図１２に基づいて説明する。ここで、図１０ａ及び図１０ｂは、従来オフセット輪転機に広く用いられている刷版装着装置の一例を示し、図１２は他の刷版装着装置の例を示すものである。
【０００３】
巻取紙に印刷するオフセット輪転機の版胴１に装着する刷版３は、その天地方向の両端部を版曲機で所定形状に折り曲げられ、この折り曲げ部の一端であるくわえ側折曲部４を版胴１のくわえ部２に引っ掛け、他端のくわえ尻側折曲部５を刷版装着装置８で引っ張って版胴１の表面に装着される。
【０００４】
図１０ａ及び図１０ｂに示す刷版装着装置８は、版胴１の軸方向表面に開口部（ギャップ）を持つ刷版３の挿入・取外し、及びテンションバ７組み込み用の胴溝６が設けられてあり、該胴溝６のテンションバガイド部６ｂにテンションバ７が回動可能に嵌合され、図示しない版胴軸端側の操作部で回動もしくは固定される。前記テンションバ７には、くわえ溝７ｂが加工されており、版曲げ機で曲げられた刷版３のくわえ側折曲部４を版胴１のくわえ部２に引っ掛けられた後、版胴１を１回転させて、くわえ尻側折曲部５をくわえ溝７ｂに挿入し、テンションバ７を刷版装着装置８で図１０ｂの矢印方向に回動させることによって刷版３が版胴１に装着される（例えば、特許文献１）。
【０００５】
上記刷版装着装置は、使用後の版を交換する（取外す）際、くわえ尻部装着時からテンションバ７の戻し方向回動時において、版折曲部４又は５の変形の残留或いは異常変形が発生すると、開口部１６ａから刷版３の剥脱が困難となる欠点がある。
【０００６】
また、図１２に示す他の刷版装着装置８は、両端部を版曲げ機で折り曲げられた刷版を装着する形式のもので、くわえ側折曲部１４を版胴１のくわえ部２に引っ掛け、くわえ尻側折曲部１５をくわえ側折曲部１４に沿わせて挿入した後、テンションバ７’を回動させて、テンションバ7’に組み込まれたばね７ｃに付勢された押し当て部材７ｄでくわえ尻側折曲部１５及び、くわえ側折曲部１４を押付けて刷版１３を装着するようになっている（例えば、特許文献２）。
【０００７】
上記刷版装着装置８は、押し当て部材７ｄが刷版の軸方向に部分的に作用するため、押し当て部材７ｄと刷版との摩擦力による保持力が弱く、安定性が低いという欠点がある。また、刷版の軸方向に多数の押し圧て部材を必要とするため、構造が複雑となる欠点がある。
【０００８】
一方、多種多様な印刷物に対応するため、印刷胴（版胴１や図示しないブランケット胴など）の直径を変更することにより印刷流れ方向の印刷長さ（以下、印刷長という）を変更することができる、いわゆるバリアブルカットオフ印刷機（以下、バリカット機という）がある。前記バリカット機を図１３、図１４を用いて説明すると、印刷胴をスリーブ構造とし、該スリーブを交換して印刷胴の直径を変更することによって印刷長を変更するもので、図１３の版胴本体１ａの外径ｄに、版胴スリーブ１ｂを嵌挿させるようになっている。版胴スリーブ１ｂは内径がｄで、外径Ｄを図１４に示すように数種類保有し、適宜交換するようにするものである。
【０００９】
このとき、刷版１３を装着する刷版装着装置８は版胴スリーブ１ｂに設ける必要があるが、版胴スリーブ１ｂは版胴本体１ａの外径ｄを小さくし過ぎると版胴１の剛性が小さくなり印刷品質が低下するため、胴本体１ａの外径ｄはできるだけ大きい方が好ましい。このため、版胴スリーブ１ｂの肉厚はできるだけ薄くすることが望まれており、この薄いスリーブ１ｂの中に上述した刷版装着装置８を組み込むこととなる。したがって、できるだけ小さく、しかも確実に刷版３、１３を取り付ける装置が望まれている。
【００１０】
ところが、上述した従来の刷版装着装置では、テンションバ７にくわえ溝７ｂや押し付け部材７ｄ等を組み込む必要があり、テンションバ７を小さくする事ができない。このため、版胴スリーブ１ｂを薄くできないという問題があった。
【００１１】
また、輪転機のブランケット胴において、従来のブランケットに代わって薄い金属板を装着したメタルブランケットが使用されている。該メタルブランケットは、基部薄板プレートに端部折曲げ箇所を除いて従来のブランケットをスリーブ表面に直接貼着させたもので、版替え時において、ブランケットが剥がれ難いため、版替え作業に手間と時間が掛かるという問題があった。また、ブランケットが傾かずに貼着面にエアの気泡ができないように貼着する必要があり、作業者にとって相当の中止を要し困難であった。さらには、ブランケット貼り合せの継ぎ目部から溶剤が浸入し、ブランケットが剥がれる問題もあり、ブランケットを貼着する構成では使用できない。従って、上記版胴スリーブと同様に、できるだけ小さく、しかも確実にブランケットを取り付ける装置が要求されている。
【００１２】
また、特許文献３にはテンションバ７の代わりにホースを使用し、圧力空気で膨らませて装着するものである。しかし、圧縮空気は弾力性が有り、軸方向に平均的な保持力が有っても極部圧が小さいため変動荷重に弱い欠点があり、空気の漏洩により押付力が無くなる可能性がある。
【００１３】
また、特許文献４には、刷版のエッジを挿入する版胴軸方向に形成したスリットと、該版胴軸方向に形成された偏心カム（版板巻込軸）と、該偏心カムを嵌入する穴と、偏心カムの戻り回転を防止する逆戻り防止機構とを備えた版板巻込装置が開示されている。本装置によれば、版板のエッジを偏心カムにてロックするが、版胴の回転にともない振動が発生するため、この振動によって戻り回転力が発生し版の巻込み力が緩む。これを防止するため、逆戻り防止機構が必須となり、上記した問題と同様に、版胴スリーブを薄くできないという課題がある。また、スリットの寸法がわずかに狭いと版をきつく押えすぎて偏心カムが回動せず、逆に広すぎると版を固定できずに偏心カムが空回りするという課題がある。また、偏心カムは両軸端で支持されるため、スリット寸法の製作誤差で軸方向に押えがきかない箇所（中央付近）が存在し、わずかな振動で版がずれる可能性もある。
【特許文献１】実開平３−０５０４３０号公報  実用新案登録請求の範囲、図４及び図６
【特許文献２】特開平１０−０８６３３５号公報
【特許文献３】特公表９−０５０２６７４号公報
【特許文献４】実開平１−０７２３３６号公報
【発明の開示】
【発明が解決しようとする課題】
【００１４】
本発明は上記課題に鑑み創案されたもので、確実にプレート（刷版／ブランケット）を保持することができるとともに、胴スリーブ厚を薄くできるプレート装着装置を備えた印刷機の胴（スリーブ）を提供することを目的とするものである。
【課題を解決するための手段】
【００１５】
請求項１記載の本発明は、可撓性プレートを巻着する印刷機の胴であって、該胴の表面に軸方向にそって開口部を有する胴溝と、該胴溝内に揺動可能に設けられ、円筒部と切欠き部とを有する挟持手段と、前胴溝内であって該挟持手段に対向する位置に設けられたへこみ部とを有し、前記可撓性プレートの端部を前記胴溝内の前記挟持手段とへこみ部との間で挟持するように構成したことを特徴とする。
【００１６】
また、請求項２記載の本発明は、請求項１記載の印刷機の胴において、前記胴溝が前記胴表面に対し該胴の回転方向へ該胴溝内部で傾斜していることを特徴とする。
【００１７】
また、請求項３記載の本発明は、請求項１又は２記載の印刷機の胴において、前記へこみ部及び／又は前記円筒部が粗面化処理されていることを特徴とする。
【００１８】
また、請求項４記載の本発明は、請求項１又は２記載の印刷機の胴において、前記へこみ部及び／又は前記円筒部に被覆材が設けられていることを特徴とする。
【００１９】
また、請求項５記載の本発明は、請求項１〜４のいずれか１項に記載の印刷機の胴に巻着するプレートにおいて、前記プレート端部にへこみを設けたことを特徴とする。
【００２０】
また、請求項６記載の本発明は、請求項１〜５のいずれか1項に記載の印刷機の胴に巻着するプレートにおいて、前記プレートの端部に被覆材又は／及び粗面化処理されたことを特徴とする。
【発明の効果】
【００２１】
本発明に記載の印刷機の胴（スリーブ）によれば、軸方向に均等に押し付け力が作用するため、版胴またはブランケット胴に振動が発生しても確実にプレート（刷版／ブランケット）を保持することができるとともに、ロック機構などの構成が必要なく、挟持手段を小さくできるので、スリーブ厚を薄く形成することが可能となる。これにより、版胴本体／ブランケット胴本体の外形を大きくできるので、剛性の高い版胴あるいはブランケット胴となり、印刷品質が低下することがない。
【００２２】
また、胴溝を回転方向へ傾斜させることにより、プレート巻き付け時において版くわえ側を胴くわえ部に引掛けた際、プレートが胴溝から外れにくくなり、また、版くわえ尻側を胴溝に挿入させた際、胴外周に巻いたプレートの反発力で胴溝から版くわえ尻の抜け出しが起りにくくなるため、スリーブ保持力が向上される。また、へこみ部及び／又は円筒部の表面を粗面化処理することにより、プレート（刷版／ブランケット）と円筒部、またはプレートとへこみ部との摩擦力が向上され、挟持手段によるプレート巻着時の保持力が安定し、抜け止め効果を向上させることができる。また、へこみ部及び／又は円筒部の表面に被覆材を設けることにより、円筒部とプレート端部、へこみ部とプレート端部との摩擦力が向上され、抜け止め効果をさらに向上させることができる。また、祖面化処理された面上に被覆材を設けることにより、被覆材が剥離しにくくなる。
【００２３】
また、本発明に記載のプレートによれば、端部にへこみ部を設けたことにより、挟持手段を操作する力が小さくてすむため、操作性が向上される。また、プレート（刷版／ブランケット）の締め付け位置が安定し、プレート巻着時の保持力が向上され、プレート（刷版／ブランケット）の抜け止め効果が向上される。
【発明を実施するための最良の形態】
【００２４】
（第１の実施形態）
本発明の実施の一形態としての刷版装着装置を図１ないし図４に基づいて説明する。図１は、第１の実施形態に係る刷版装着装置の要部断面図を示し、図２は、図１の胴溝の断面図を示す。図３は、第１の実施形態に係る動作説明図を示し、図３aはプレート挿入時、図３bはプレート挟持時を示す。また、図４は、第１の実施形態に係る刷版装着手順の説明図である。なお、前記した従来のものと同一の部位については図中同一の符号を付して示し、重複する説明はできるだけ省略する。
【００２５】
また、本発明の印刷機の胴、及びプレートを巻着する装置は、刷版装着装置、及び刷版、あるいはブランケット装着装置、及びブランケットに置き換えることも可能であるが、ここでは刷版装着装置及び刷版１３を例に説明する。
【００２６】
図１及び図２の刷版装着装置１８において、１（１ｂ）は版胴（版胴スリーブ）、２はくわえ部、１３は刷版（又はブランケット）、１６は版胴１または版胴スリーブ１ｂに加工された胴溝、１７は挟持手段を示し、該胴溝１６は、刷版１３の端部を折り曲げた折曲部１４，１５を挿入する版胴１（または版胴スリーブ１ｂ）の軸方向に平行に開口している開口部１６ａと、該挟持手段１７の回動ガイド部１６ｂと、刷版１３の折曲部１４、１５部を挟持手段１７で変形させて保持するためのへこみ部１６ｃとで構成されている。
【００２７】
挟持手段１７は前記回動ガイド部１６ｂに回動可能に嵌合され、切欠き面１７ａが版胴くわえ部面Ａと平行に形成されている。該挟持手段１７を刷版１３のくわえ側折曲部１４及びくわえ尻側折曲部１５を挿入しやすい位置から回動させて、挟持手段円筒部１７ｂが胴溝へこみ部１６ｃと対面するよう形成されている。該挟持手段円筒部１７ｂが胴溝へこみ部１６ｃと対面したとき、挟持手段円筒部１７ｂの位置は、図１に示すように刷版１３のくわえ側折曲部１４及びくわえ尻側折曲部１５をへこませるようになっている。
【００２８】
次に、上記した構成による刷版装着装置の作用について図４を用いて説明する。まず、挟持手段１７に刷版１３の装着を行う際には、挟持手段１７の切欠き部１７ａを、くわえ部面Ａに平行に合わせた後、刷版くわえ側折曲部１４を胴溝１６ａに挿入して版胴くわえ部２に引っ掛ける。その後、版胴１を一回転させながら刷版１３を版胴１表面に巻き回して、図４ａの矢印で示すように、くわえ尻側折曲部１５を、先に挿入しているくわえ側折曲部１４に沿って開口部１６ａに挿入する。その後、挟持手段１７を図４ｂの矢印方向へ図示しない回動装置で回動させ、刷版くわえ側折曲部１４及びくわえ尻側折曲部１５に挟持手段円筒部１７ｂを当接させて、へこみ部１６ｃの空間に刷版くわえ側折曲部１４及びくわえ尻側折曲部１５を変形させて刷版１３を巻着する。
【００２９】
また、刷版１３の折曲部１４，１５がへこみ部１６ｃの中央で円筒部１７ｂとへこみ部１６ｃとの間に挟持され、刷版１３からの反力が挟持手段１７の回転中心方向へ作用するように配置されている。そのため挟持手段１７には反力による回転方向の分力が発生しないため、振動などにより刷版１３が緩むことがなく、確実に胴１表面に固定されることとなる。
【００３０】
このようにして刷版１３を巻着するため、挟持手段１７は刷版１３を巻着する際、くわえ側折曲部１4及びくわえ尻側折曲部１５をへこみ部１６ｃに変形させるときに最も力がかかるが、その反力は挟持手段１７が回動ガイド部１６ｂに支持されているため、挟持手段１７が刷版折曲部１４及び１５からの作用力により軸方向全域にわたって撓むことは殆どなく、これにより挟持手段１７を細くでき、刷版装着装置１８をコンパクトに形成可能となる。
【００３１】
また、胴溝１６が開口部１６ａ表面と胴１（胴スリーブ１ｂ）との接線に対し、胴１の回転方向へ例えば、θ＝３０°〜７０°だけ傾斜して設けられている。つまり、刷版１３を胴１に巻きつける際、刷版くわえ側折曲部１４を胴くわえ部に引掛けた時に刷版１３が胴溝６から外れにくくなる。また、刷版くわえ尻側折曲部１５を胴溝１６に挿入した時、胴１外周に巻いた刷版１３の反発（復元）力で胴溝１６から刷版くわえ尻側折曲部１５の抜け出しが起りにくくなる。なお、胴溝１６の傾斜θは、刷版取付け、胴溝１６の加工容易性、胴１（スリーブ１b）強度を考慮すると、θ＝６０°とした場合が最も好ましい。
【００３２】
また、本発明の挟持手段１７には、従来の装置で説明したような、刷版を装着するためのくわえ溝７ｂや、押し当て部材７ｄを取り付けるためのスペースが必要なく、挟持手段１７にかかる刷版１３の反力が挟持手段１７の回転軸心方向へ作用するため、回転方向への分力が発生することがなく、逆戻り防止装置などのロック機構も必要ない。したがって、挟持手段１７を小さくできるとともに、簡易な構成とすることができる。このことは特に、バリカット機における版胴スリーブ１ｂの場合、スリーブ１ｂの肉厚を薄くでき、その分、版胴本体１ａの直径ｄを大きくできるため、版胴の剛性を確保でき印刷品質の低下を抑えることができる。また、刷版装着装置１８は、挟持手段１７と刷版折曲部１４，１５との反力を回動ガイド部１６ｂで支持されているため、挟持手段１７がたわむことなく刷版を確実に保持できるため、圧縮空気の漏洩により押付力が無くなるということもなく、安全に安定して刷版を保持可能である。
【００３３】
また、くぼみ部１６ｃに刷版１３を押し込んで、刷版（プレート）１３を変形させるため、刷版１３の弾性力によって刷版１３の巻着固定が確実となり、また、開口部１６aの寸法精度が悪くても、版の押え込み代が多少変化するだけで、版固定力の変化が少なく、軸方向に均等に押し付け力が作用することとなり、版胴またはブランケット胴に振動が発生しても確実に版を固定することができる。
（その他の実施形態）
【００３４】
本発明の他の実施の形態としての刷版装着装置を図５ないし図９に基づいて説明する。図５及び６は、その他の実施形態における刷版装着装置の要部断面図を示し、図７及び図８は、本実施形態に係る刷版の斜視図を示す。図９は、その他の実施形態に係る刷版装着装置の要部断面図を示す。なお、前記した従来のものと同一の部位については図中同一の符号を付して示し、重複する説明はできるだけ省略する。
【００３５】
図５において、刷版１３のくわえ側２４或いはくわえ尻側の折曲部２５の面上に、刷版１３と挟持手段１７、または刷版１３とへこみ部１６ｃとの摩擦力を向上させるため、刷版１３のくわえ側裏面（表面）、くわえ尻側表面（裏面）、円筒部１７ａ、あるいはへこみ部１６ｃを粗面化する。ここで、粗面化とは、プレート面をブラスト処理ややすり等で粗面に形成したり、被覆材２６を形成することをいう。被覆材２６としては、樹脂（或いはゴム材）、あるいは樹脂と同等の摩擦係数を有する材質が用いられ、前記被覆材２６をコーティング、塗布、接着あるいは焼付けて被覆させる。また、被覆材２６の剥離を防止するため、プレート端面、円筒部１７ａ、あるいはへこみ部１６ｃをブラスト処理ややすり等で粗面にしておくと、より好ましい。なお、被覆材２６の被覆膜厚は上記機能を発揮させるよう適宜決定される。
【００３６】
上記構成によれば、実施例１と同様な作用・効果が得られるのに加え、刷版１３と挟持手段１７、または刷版１３とへこみ部１６ｃとの摩擦力が増加するため、挟持手段１７による装着時の保持力が安定し、抜け止め効果をさらに向上させる事ができる。
【００３７】
特に、ブランケットの場合、耐刷力（使用可能な印刷部数）を向上させるため、プレートにＳＵＳなどの高剛性の金属を使用する場合が多く、高剛性のプレートの場合、折曲部１４，１５が開口部１６ａから抜け出ようとする復元力が強いため、プレート折曲部１４，１５に被覆材を形成することは、より効果的である。
【００３８】
なお、上記胴溝１６の構成において、へこみ部１６ｃの形状を円弧状としたが、これに限定されるものではなく、例えば、方形１６´oや矩形としてもよく、刷版の折曲部１４，１５の変形を妨げとなることがない程度の空間を設けるものであれば足り得る。
【００３９】
上記構成によれば、実施例１及び２と同様な作用・効果が得られるのに加え、加工方法によっては円弧状に比して能率よく加工できる。
【００４０】
また、実施例１及び２に使用する刷版１３はくわえ側折曲部１４及びくわえ尻側折曲部１５が直線状に形成され、刷版装着時に挟持手段１７により、へこみ部１６ｃに対応する形状に変形させていたが、本実施例では図8に示す様に刷版２３のくわえ側折曲部２４及びくわえ尻側折曲部２５に予め版曲げ機でへこみを付したものである。なお、刷版へこみ２４ａ、２５ａは、挟持手段１７で締め付けたとき更に僅かに変形する程度が好ましい。また、刷版２３のくわえ側のみ、或いはくわえ尻側のみを予めへこませる構成とすることもできる。
【００４１】
上記構成によれば、実施例１と同様な作用・効果が得られるのに加え、挟持手段１７を操作する力が小さくてすむため、操作性が向上される。また、刷版２３の締め付け位置が安定し、刷版装着装置から刷版２３の抜け止め効果が向上される。
【図面の簡単な説明】
【００４２】
【図１】実施例１に係る刷版装着装置の要部断面図を示す。
【００４３】
【図２】実施例１に係る図１の胴溝断面図を示す。
【００４４】
【図３】実施例１に係る動作説明図を示し、図３aはプレート挿入時、図３bはプレート挟持時を示す。
【００４５】
【図４】実施例１に係る刷版装着手順の説明図を示し、図４aはくわえ尻側折曲部挿入時、図４bは刷版挟持時を示す。
【００４６】
【図５】その他の実施形態に係る刷版装着装置の要部断面図を示す。
【００４７】
【図６】その他の実施形態に係る刷版装着装置の要部断面図を示す。
【００４８】
【図７】本実施形態に係る刷版の斜視図を示す。
【００４９】
【図８】その他の実施形態に係る刷版の斜視図を示す。
【００５０】
【図９】その他の実施形態に係る刷版装着装置の要部断面図を示す。
【００５１】
【図１０】従来の刷版装着装置に係る動作説明図を示す。
【００５２】
【図１１】従来の刷版装着装置に使用される刷版の斜視図を示す。
【００５３】
【図１２】従来の他の刷版装着装置に係る要部断面図を示す。
【００５４】
【図１３】一般的な印刷機の胴スリーブの軸方向断面図を示す。
【００５５】
【図１４】一般的な印刷機の胴スリーブの円周方向断面図を示す。
【符号の説明】
【００５６】
１  版胴
１ａ  版胴本体
１ｂ  版胴スリーブ
２  くわえ部
３  刷版
４  くわえ側折曲部
５  くわえ尻側折曲部
５ｂ  第1段折曲部
５ｃ  第2段折曲部
６  胴溝
６ａ  開口部
６ｂ  回動ガイド部
７  挟持手段
７ｂ  くわえ溝
７ｃ  ばね
７ｄ  押当部材
８  刷版装着装置
１３  刷版
１４  くわえ側折曲部
１５  くわえ尻側折曲部
１６  胴溝
１６ａ  開口部
１６ｂ  回動ガイド部
１６ｃ  へこみ部
１７  挟持手段
１７ａ  切欠部
１７ｂ  円筒部
１８  刷版装着装置（ブランケット装着装置）
２３  刷版（ブランケットプレート）
２４  くわえ側折曲部
２４ａ  くわえ側へこみ部
２５  くわえ尻側折曲部
２５ａ  くわえ尻側へこみ部
２６  樹脂（ゴム）被覆
【図１】
2005280029.tif 000003
【図２】
2005280029.tif 000004
【図３】
2005280029.tif 000005
【図４】
2005280029.tif 000006
【図５】
2005280029.tif 000007
【図６】
2005280029.tif 000008
【図７】
2005280029.tif 000009
【図８】
2005280029.tif 000010
【図９】
2005280029.tif 000011
【図１０】
2005280029.tif 000012
【図１１】
2005280029.tif 000013
【図１２】
2005280029.tif 000014
【図１３】
2005280029.tif 000015
【図１４】
2005280029.tif 000016